(57)【要約】【課題】  光源からの光を、例えば線状若しくは矩形状などの、長尺な照射範囲に効率良く的確に、且つ均一な光量で集光照射させることが可能な実用性に秀れた発光ユニットを提供する。【解決手段】  基材１に光源２を配設した発光ユニットであって、前記基材１に凹状の反射部３を設け、前記光源２はこの反射部３の底部に上方に向けて配設した構成とし、この反射部３は平面視形状を長尺な形状に形成すると共に、平面視長尺方向に対向する対向面に前記光源２からの光を上方に反射して該反射部３から光を射出する上方導光反射面４を形成しこの上方導光反射面４と直交する対向面に前記光源２からの光を側方に反射して前記上方導光反射面４に光を導く側方導光反射面５を形成した構成とし、前記基材１に配設した光源２を発光させた際に前記反射部３の長尺方向に沿った長さ方向を有する照射範囲に光が集光照射されるように構成した発光ユニット。【選択図】      図１
2006196314.tif 000002
【特許請求の範囲】
【請求項１】
基材に光源を配設した発光ユニットであって、前記基材に凹状の反射部を設け、前記光源はこの反射部の底部に上方に向けて配設した構成とし、この反射部は平面視形状を長尺な形状に形成すると共に、平面視長尺方向に対向する対向面に前記光源からの光を上方に反射して該反射部から光を射出する上方導光反射面を形成しこの上方導光反射面と直交する対向面に前記光源からの光を側方に反射して前記上方導光反射面に光を導く側方導光反射面を形成した構成とし、前記基材に配設した光源を発光させた際に前記反射部の長尺方向に沿った長さ方向を有する照射範囲に光が集光照射されるように構成したことを特徴とする発光ユニット。
【請求項２】
前記基材の長さ方向に前記反射部を複数配設し、前記光源は複数の反射部の底部に上方に向けて配設して前記基材の長さ方向に複数配設した構成とし、各反射部は平面視形状を前記基材の長さ方向に長い長尺形状に形成すると共に、平面視長尺方向に対向する対向面に前記上方導光反射面を形成しこの上方導光反射面と直交する対向面に前記側方導光反射面を形成した構成とし、前記基材に複数配設した前記光源を発光させた際に複数の反射部から集光照射された光が一体となって前記基材の長さ方向に沿った長さ方向を有する照射範囲に光が集光照射されるように構成したことを特徴とする請求項１記載の発光ユニット。
【請求項３】
前記側方導光反射面は、前記光源からの光を拡散反射することによって前記上方導光反射面に光を導くように構成したことを特徴とする請求項１，２のいずれか１項に記載の発光ユニット。
【請求項４】
前記側方導光反射面は、形成表面を前記基材の長さ方向に凹凸した凹凸面に形成して構成したことを特徴とする請求項３記載の発光ユニット。
【請求項５】
前記側方導光反射面は、互いに平行に対向し、且つ前記反射部の開口面方向に対して略直交する立直形状に形成して構成したことを特徴とする請求項１〜４のいずれか１項に記載の発光ユニット。
【請求項６】
前記上方導光反射面は、前記光源からの光を上方に反射するように該光源からの光の照射角度に応じて傾斜角度を設定した傾斜面形状若しくは凹曲面形状に形成して構成したこと特徴とする請求項１〜５のいずれか１項に記載の発光ユニット。
【請求項７】
前記反射部の上方に集光レンズを設け、前記反射部から集光照射される光を該集光レンズによって更に集光率を上げるように構成したことを特徴とする請求項１〜６のいずれか１項に記載の発光ユニット。
【請求項８】
前記集光レンズは、断面蒲鉾形若しくは断面半円形の柱状体形状に形成すると共に、軸方向を前記基材の長さ方向に設定し、周面の平坦面を下方に設定し、前記反射部の上部を閉塞するように配設した構成とした特徴とする請求項１〜７のいずれか１項に記載の発光ユニット。
【請求項９】
前記光源としてＬＥＤを採用した構成としたことを特徴とする請求項１〜８のいずれか１項に記載の発光ユニット。
【発明の詳細な説明】
【技術分野】
【０００１】
本発明は、基材に光源を配設した発光ユニットに関するものである。
【背景技術】
【０００２】
従来から、例えばＬＥＤや電球などの光源を直線状に複数配設した発光ユニットが提案されている。
【０００３】
この発光ユニットは、例えば、基材の長さ方向に複数配設した光源を発光させることで、該基材の長さ方向に沿った長尺な（例えば線状や矩形状などの）照射範囲に光を照射し得るように構成しており、例えば、スキャナやファクシミリなどに搭載された光学的読み取り機に用いる線状照明装置や、自動車の前照灯など、様々な用途に使用されている。
【０００４】
ところが、上記のように構成した発光ユニットは、基材に複数配設した各光源からの光が各個に四方向に拡散照射される為、被照射物に対して光が効率良く照射されず、即ち、光の利用効率が秀れず、また、光源と光源との中間部位置は光量が弱い為、基材に複数配設した各光源の配設位置に応じて光が良好に照射されない部分が生じてしまい、結果として、照射範囲に光の明暗（光量ムラ）が生じてしまうなどの問題があった。
【０００５】
そこで、従来から、複数配設した各光源からの光の照射したい方向に指向することによって光を効率良く被照射物に照射すると共に、各光源からの光を一軸方向に集光することで幅狭で長尺な（例えば線状若しくは矩形状などの）照射範囲に光を集光照射するように構成した発光ユニットが提案されている。
【０００６】
この光源からの光を集光するタイプの発光ユニットは、例えば、実開平６−４４１５７号公報に開示されているように、基材の長さ方向に直線的に配設した光源（ＬＥＤ）の上部に断面蒲鉾形の柱状体形状の集光レンズを前記基材の長さ方向（光源の配設方向）に沿って配設し、この集光レンズによって各光源からの光を指向し、照射したい範囲に光を集光照射し得る構成である（図５参照）。
【０００７】
ところが、この光源からの光を集光するタイプの発光ユニットは、各光源からの光が上方に設けた集光レンズに到達するまでに四方に拡散し、この拡散した光は無駄な方向に照射される為、それだけ光の利用効率を損ねてしまうという問題があった。また、上記の光源からの光を集光しないタイプのものに比して、照射範囲に生ずる光の明暗（光量ムラ）が抑制されるものの、この光の明暗（光量ムラ）を完全には阻止できないものであった。
【０００８】
このように、従来の発光ユニットにおいては、前記光源からの光の利用効率を損ねてしまうこと無く、効率良く光を照射したい範囲に指向することができ、しかも、照射範囲の一部に光が良好に照射されず光の明暗（光量ムラ）が生ずるといった問題も無く、照射したい長尺な（例えば線状若しくは矩形状などの）照射範囲に的確に光を集光照射し得る構成のものは、従来には無い。
【０００９】
【特許文献１】実開平６−４４１５７号公報
【発明の開示】
【発明が解決しようとする課題】
【００１０】
本発明は上記のような問題点を解決するものであって、光源を単に基材上に配設するのではなく、基材に設けた凹状の反射部の底部に配設して該反射部によって光源からの光を照射したい方向に指向することで可及的に無駄なく効率良く光を利用でき、光の利用効率に秀れ、更に、光源が一体の場合でも長尺な（線状若しくは矩形状などの）照射範囲に満遍なく光を照射でき、また、仮に光源が複数体であっても各光源の位置に応じた光の明暗（光量ムラ）などが生ずることなく長尺な照射範囲に満遍なく光を照射できるなど、長尺な照射範囲に的確に且つ略均一に光を照射し得る極めて実用性に秀れた発光ユニットを提供することを課題とする。
【課題を解決するための手段】
【００１１】
添付図面を参照して本発明の要旨を説明する。
【００１２】
基材１に光源２を配設した発光ユニットであって、前記基材１に凹状の反射部３を設け、前記光源２はこの反射部３の底部に上方に向けて配設した構成とし、この反射部３は平面視形状を長尺な形状に形成すると共に、平面視長尺方向に対向する対向面に前記光源２からの光を上方に反射して該反射部３から光を射出する上方導光反射面４を形成しこの上方導光反射面４と直交する対向面に前記光源２からの光を側方に反射して前記上方導光反射面４に光を導く側方導光反射面５を形成した構成とし、前記基材１に配設した光源２を発光させた際に前記反射部３の長尺方向に沿った長さ方向を有する照射範囲に光が集光照射されるように構成したことを特徴とする発光ユニットに係るものである。
【００１３】
また、前記基材１の長さ方向に前記反射部３を複数配設し、前記光源２は複数の反射部３の底部に上方に向けて配設して前記基材１の長さ方向に複数配設した構成とし、各反射部３は平面視形状を前記基材１の長さ方向に長い長尺形状に形成すると共に、平面視長尺方向に対向する対向面に前記上方導光反射面４を形成しこの上方導光反射面４と直交する対向面に前記側方導光反射面５を形成した構成とし、前記基材１に複数配設した前記光源２を発光させた際に複数の反射部３から集光照射された光が一体となって前記基材１の長さ方向に沿った長さ方向を有する照射範囲に光が集光照射されるように構成したことを特徴とする請求項１記載の発光ユニットに係るものである。
【００１４】
また、前記側方導光反射面５は、前記光源２からの光を拡散反射することによって前記上方導光反射面４に光を導くように構成したことを特徴とする請求項１，２のいずれか１項に記載の発光ユニットに係るものである。
【００１５】
また、前記側方導光反射面５は、形成表面を前記基材１の長さ方向に凹凸した凹凸面に形成して構成したことを特徴とする請求項３記載の発光ユニットに係るものである。
【００１６】
また、前記側方導光反射面５は、互いに平行に対向し、且つ前記反射部３の開口面方向に対して略直交する立直形状に形成して構成したことを特徴とする請求項１〜４のいずれか１項に記載の発光ユニットに係るものである。
【００１７】
また、前記上方導光反射面４は、前記光源２からの光を上方に反射するように該光源２からの光の照射角度に応じて傾斜角度を設定した傾斜面形状若しくは凹曲面形状に形成して構成したこと特徴とする請求項１〜５のいずれか１項に記載の発光ユニットに係るものである。
【００１８】
また、前記反射部３の上方に集光レンズ６を設け、前記反射部３から集光照射される光を該集光レンズ６によって更に集光率を上げるように構成したことを特徴とする請求項１〜６のいずれか１項に記載の発光ユニットに係るものである。
【００１９】
また、前記集光レンズ６は、断面蒲鉾形若しくは断面半円形の柱状体形状に形成すると共に、軸方向を前記基材１の長さ方向に設定し、周面の平坦面を下方に設定し、前記反射部３の上部を閉塞するように配設した構成とした特徴とする請求項１〜７のいずれか１項に記載の発光ユニットに係るものである。
【００２０】
また、前記光源２としてＬＥＤを採用した構成としたことを特徴とする請求項１〜８のいずれか１項に記載の発光ユニットに係るものである。
【発明の効果】
【００２１】
本発明は上述のように、基材に配設した光源から照射された光のうち、反射部の長尺方向に照射した光は上方導光反射面に反射して該反射部から射出し、一方、前記反射部の長尺方向と直交する方向に照射した光は、側方導光反射面によって上方（反射部から射出する方向）ではなく側方（即ち、該反射部の平面視長尺方向）に反射し、前記上方導光反射面に導光されて該上方導光反射面に反射して反射部から射出するように構成したから、光源から照射された光は、例えば四方に拡散して無駄な方向に照射してしまったりせず確実に照射したい範囲に指向され、照射したい範囲に照射されることとなり、よって、光が無駄なく利用され利用効率が損なわれることを可及的に阻止できる。
【００２２】
しかも、前記反射部によって光源からの光を集光して上方に射出するように構成したから、光源からの光は前記反射部の平面視長尺方向に沿った長さ方向を有する長尺な照射範囲に集光照射できる。
【００２３】
従って、本発明は、例えば、基材に設けた光源からの光を高い利用効率で効率良く照射したい範囲に照射させることができ、しかも、基材に一体の光源を設けるだけで長尺な照射範囲に光を集光照射できたり、基材の長さ方向に光源及び反射部（基材の長さ方向に長い平面視形状を有する）を複数設けた場合には各反射部からの光（集光された光）が一体となり前記基材の長さ方向に沿った長さ方向を有する非常に長い照射面に光を照射できるなど、長尺な照射範囲に効率良く的確に且つ満遍無く光を集光照射できる画期的で実用性に秀れた発光ユニットとなる。
【００２４】
従って、本発明は、基材の長さ方向に複数配設した光源から照射された光を反射部に設けた上方導光反射面や側方導光反射面によって無駄なく照射したい範囲に指向させることができるから光の利用効率に秀れ効率良く光源からの光を照射したい照射範囲に照射させることができ、更に、光の明暗や光量ムラが生じないように満遍なく照射したい範囲に光を照射できるなど、極めて実用性に秀れた画期的な発光ユニットとなる。
【００２５】
また、請求項３記載の発明においては、前記側方導光反射面は、複雑な構成が不要で、単に前記光源からの光を拡散反射（或いは乱反射）するだけの簡易構成でありながら、前記光源からの光を簡単且つ確実に側方の前記上方導光反射面に導光することができ、構成の簡易化を図り得ると共に生産性に秀れることとなる。
【００２６】
また、請求項４記載の発明においては、前記側方導光反射面を凹凸面に形成するだけの極めて簡易な構成によって、前記光源からの光を確実に拡散反射（或いは乱反射）し前記上方導光反射面に確実に導光可能な構成とすることができ、簡易構成にして生産性やコスト性に秀れることとなる。
【００２７】
また、請求項５記載の発明においては、前記光源からの光が前記側方導光反射面に反射した際に上方に反射して反射部から射出してしまったり、反射部の底部に照射されてしまったりすることなく、的確に側方に反射して前記上方導光反射面に光を導くことができ、一層前記光源からの光を確実に集光しつつ上方に射出させることが可能となり、一層光の利用効率に秀れることとなる。
【００２８】
また、請求項６記載の発明においては、前記上方導光反射面は、複雑な構成が不要で、単に形成表面を傾斜面形状若しくは凹曲面形状に形成するだけの簡易構成でありながら、前記光源からの光を簡単且つ確実に上方に反射して反射部から射出することができ、構成の簡易化を図り得ると共に生産性に秀れることとなる。
【００２９】
また、請求項７記載の発明においては、前記反射部によって集光照射される光の集光率を、集光レンズによって一層向上させることができるので、光を一層幅狭な（細長な）照射範囲に集光照射できることとなり実用性に秀れ、また、照射したい照射範囲の周囲に余計な照射分（例えば正規の長尺な照射範囲の周囲に意図せぬ余計な点状の照射分などが生ずること）を可及的に阻止でき、一層確実に照射したい範囲だけに光を照射できることとなる。
【００３０】
また、請求項８記載の発明においては、前記集光レンズが簡易構成にして前記反射部からの光を良好に集光し得る秀れたものとなる上に、前記反射部からの全ての光を余すことなく確実に集光レンズに到達させることができ、効率良く確実に前記反射部からの光を集光レンズによって集光し得る構成となり、この点においても一層実用性に秀れる。
【００３１】
また、請求項９記載の発明においては、ＬＥＤからの光を反射部３によって集光して長尺な照射範囲に該ＬＥＤからの光を効率良く集光照射できることとなるうえに、光源自体の大きさが非常に小さくて済む該ＬＥＤを光源として採用することによって、本発明に係る発光ユニット自体の小型化を簡易にして良好に図り得ることとなり、この点においても実用性に秀れる。
【発明を実施するための最良の形態】
【００３２】
好適と考える本発明の実施形態を、図面に基づいて本発明の作用を示して簡単に説明する。
【００３３】
基材１に配設した凹状の反射部３の底部に上方に向けて配設して前記基材１に配設した光源２を発光させた際、この光源２からの光が前記反射部３の上方に射出して所定の照射範囲に光が照射されることとなる。
【００３４】
この際、前記光源２から上方に照射した光は、前記反射部３から上方に射出することとなる。
【００３５】
また、前記光源２から反射部３に向けて照射した光のうち、前記反射部３の平面視長尺方向（即ち、基材１の長さ方向）に照射された光は、該反射部３の平面視長尺方向に対向する対向面に形成した上方導光反射面４によって上方に反射して該反射部３から上方に射出することとなり、一方、前記反射部３の平面視長尺方向と直交する方向に照射された光は、該反射部３の上方導光反射面４と直交する対向面に形成した側方導光反射面５によって側方に反射して前記上方導光反射面４に導光され、この上方導光反射面４によって上方に反射して該反射部３から上方に射出することとなる。
【００３６】
つまり、前記光源２から前記反射部３に照射された光のうち、この反射部３の長尺方向に照射した光は上方導光反射面４に反射して該反射部３から射出するが、一方、前記反射部３の長尺方向と直交する方向に照射した光は、前記側方導光反射面５によって、一度、上方（反射部３から射出する方向）ではなく側方（即ち、反射部３の長尺方向）に反射し、それから前記上方導光反射面４に反射して該反射部３から射出することとなる。
【００３７】
よって、前記光源２からの光は四方拡散方向に照射したりせず、前記反射部３に指向されて該反射部３の平面視長尺方向に沿った長さ方向を有する照射範囲に集光照射されることとなる。
【００３８】
よって、前記基材１に配設した光源２を発光させた際、光源２からの光は前記反射部３によって無駄なく的確に照射したい範囲に指向され、照射したい範囲に照射されることとなる。
【００３９】
また、請求項２記載の発明においては、前記基材１の長さ方向に光源２を複数配設し、前記反射部３も前記基材１の長さ方向に複数配設すると共に平面視形状を前記基材１の長さ方向に長い長尺形状に形成している為、前記基材１に複数配設した各光源２からの光は各反射部３の平面視長尺方向、即ち、前記基材１の長さ方向に沿った長さ方向を有する照射範囲に集光照射されることとなる。
【００４０】
しかも、この基材１の長さ方向に配設している各光源２からの光（集光された光）が一体となることによって、前記基材１の長さ方向に沿った長さ方向を有する長尺な（例えば線状若しくは矩形状の）照射範囲に的確に、且つ、満遍なく光が照射されることとなる。
【００４１】
また、請求項３記載の発明においては、例えば、前記側方導光反射面５を複雑な構成でなく、単に該側方導光反射面５の表面にブラスト処理を施したり該側方導光反射面５の表面を凹凸面に形成するなどして、光を少なくとも側方に拡散反射（或いは乱反射）できるように構成するだけで、簡易に且つ確実に前記上方導光反射面４に前記光源２からの光を導光できることとなり、構成の簡易化を図ることができる。
【００４２】
また、請求項４記載の発明においては、前記側方導光反射面５の形成表面を前記基材１の長さ方向に凹凸した凹凸面に形成している為、前記光源２からの光を凹凸面によって簡単且つ確実に側方に拡散反射（或いは乱反射）させ前記上方導光反射面４に導光することが可能となる。
【００４３】
また、請求項５記載の発明においては、前記反射部３の前記側方導光反射面５を、互いに平行且つ前記反射部３の開口面方向に対して略直交する立直形状に形成した為、前記光源２からの光が該側方導光反射面５を上方に反射して前記反射部３から射出したり、該側方導光反射面５を下方に反射して前記反射部３の底部に導光されたりすることなく、該側方導光反射面５の側方に位置する上方導光反射面４に的確に光を導けることとなる。
【００４４】
また、請求項６記載の発明においては、前記光源２からの光を前記上方導光反射面４において確実に上方に反射でき、即ち、確実に前記反射部３から上方に射出できることとなる。
【００４５】
また、請求項７記載の発明においては、各光源２からの光を反射部３で集光するだけでなく、この反射部３で集光した光を、更に、該反射部３の上方に設けた集光レンズ６によって集光し集光率を上げて集光照射することができ、光を一層幅狭な（細長な）照射範囲に集光照射できると共に、一層的確に照射したい範囲内に光を集光照射できるので、例えば照射したい照射範囲の周囲に余計な照射分が生ずることも阻止できる。
【００４６】
また、請求項８記載の発明においては、前記集光レンズ６が、単純形状で簡易な構成でありながら前記反射部３からの光を良好に集光し得る秀れたものと成り、更に、該集光レンズ６によって前記反射部３の上部を閉塞するように該集光レンズ６が配設されているので、前記反射部３からの全ての光が確実に該集光レンズ６に到達することとなり、無駄なく確実にこの集光レンズ６によって集光し得ることとなる。
【００４７】
また、請求項９記載の発明においては、ＬＥＤからの光が前記反射部３によって長尺な照射範囲に集光照射されることとなる。
【００４８】
更に、光源としてＬＥＤを採用したことによって、本発明に係る発光ユニット自体の小型化を図り得ることとなる。
【実施例】
【００４９】
本発明の具体的な実施例について図面に基づいて説明する。
【００５０】
本実施例は、基材１に光源２を配設した発光ユニットであって、前記基材１に凹状の反射部３を設け、前記光源２はこの反射部３の底部に上方に向けて配設した構成とし、この反射部３は平面視形状を長尺な形状に形成すると共に、平面視長尺方向に対向する対向面に前記光源２からの光を上方に反射して該反射部３から光を射出する上方導光反射面４を形成しこの上方導光反射面４と直交する対向面に前記光源２からの光を側方に反射して前記上方導光反射面４に光を導く側方導光反射面５を形成した構成とし、前記基材１に配設した光源２を発光させた際に前記反射部３の長尺方向に沿った長さ方向を有する照射範囲に光が集光照射されるように構成したものである。
【００５１】
尚、光源２には、ＬＥＤや電球など様々な光源２が採用可能であり、本実施例においてはＬＥＤを採用している。
【００５２】
具体的には、図２に図示したように、前記基材１の長さ方向に前記反射部３を複数配設し、前記光源２は複数の反射部３の底部に上方に向けて配設した状態で該基材１の長さ方向に沿った直線方向に複数配設している。
【００５３】
基材１は、図１に図示したように、長尺な平板状に形成して構成したものである。
【００５４】
また、この基材１の上部には、図１及び図２に図示したように、凹状の反射部３を所定間隔を介して複数配設している。
【００５５】
この反射部３は、図２に図示したように、各反射部３の開口面が面一となるように前記基材１に配列している。
【００５６】
また、各反射部３には夫々一体ずつ前記光源２を設けている。尚、一体の反射部３に複数の光源２を設けた構成としても良い。
【００５７】
また、この反射部３は、具体的には、図３に図示したように、平面視形状を、前記光源２を中心とし該光源２の配設方向（即ち、前記基材１の長さ方向）を長軸方向とした長円形状（矩形の両短辺を円弧状に形成した形状）に形成している。尚、該光源２の平面視形状は前記光源２を中心とした長円形状であるが、これに限らず、例えば楕円形状や、略楕円形状若しくは略長円形状の多角形状や、矩形状に形成した構成としても良い。
【００５８】
また、図３に図示したように、この反射部３の中央には前記光源２を埋設状態に配設する為の平面視円状の切欠部３ａを形成しており、この切欠部３ａ内に埋設状態に前記光源２を配設し、該光源２の発光部分が丁度この切欠部３ａの上部開口から上方に突出するように配設した構成である。尚、本実施例においては、各反射部３に夫々一体ずつ光源２（ＬＥＤ）を配設した構成としたが、これに限らず、例えば、反射部３に二体又は複数の光源２（ＬＥＤ）を配設した構成としても良い。
【００５９】
また、この反射部３の側方導光反射面５は、図１に図示したように、互いに平行に対向し、且つ該反射部３の下部側から該反射部３の開口面方向に略直交する方向に立ち上がる立直面に形成し、形成表面を前記基材１の長さ方向に凹凸した凹凸面に形成している。尚、この側方導光反射面５の立直形状とは、垂直（９０°）に限らず、９０°に対して少し傾斜した状態を含む意味で、例えば、＋１０°乃至−１０°の範囲で傾斜した状態もこの立直形状として表現したものである（即ち、仮に側方導光反射面５が下方に向けて互いに離間しやや拡幅する形状でも良く、この場合集光率は一層良好となるが、成形上、離型の問題から逆に上方に向けて僅かに拡幅した形状としても良い。）。
【００６０】
また、本実施例では、前記光源２からの光が該側方導光反射面５の両側方向に位置する前記上方導光反射面４の双方に略均等に導光されるように設定している。
【００６１】
従って、前記光源２から該反射部３の平面視長軸方向と直交する方向（短軸方向）に照射された光は該側方導光反射面５によって拡散反射（或いは乱反射）され、前記上方導光反射面４に導光される。
【００６２】
尚、本実施例では前記側方導光反射面５を垂直立ち上がり面に形成すると共に形成表面を凹凸面に形成した構成であるが、これに限らず、例えば形成表面を前記光源２からの光を拡散反射（或いは乱反射）し得るようにブラスト面に形成した構成としても良く、他にも、前記光源２から該側方導光反射面５に照射された光を前記上方導光反射面４に導光する構成であれば良い。
【００６３】
また、この反射部３の前記上方導光反射面４は、図１，図３（ａ）に図示したように、前記光源２からの光を上方に反射するように該光源２からの光の照射角度に応じて傾斜角度を設定した凹曲面形状に形成して構成している。
【００６４】
従って、前記光源から照射された光及び前記側方導光反射面５によって導光された光は前記上方導光反射面４の凹曲面形状によって上方に反射されて反射部３から射出する。
【００６５】
尚、該上方導光反射面４は、本実施例の凹曲面形状に限らず、例えば図３（ｂ）に図示したように、傾斜面形状に形成した構成としても良い。
【００６６】
この反射部３の上方には、図１，図２に図示したように、集光レンズ６を設けており、前記反射部３から上方に集光照射される光を該集光レンズ６によって更に集光率を上げるように構成している。
【００６７】
この集光レンズ６は、具体的には、断面半円形の柱状体形状に形成すると共に、軸方向を前記基材１の長さ方向に設定し、周面の平坦面を下方に設定し、図１，図２に図示したように、前記反射部３の上部を完全に閉塞するように配設した構成である。尚、本実施例においては前記集光レンズ６の形状を断面半円形の柱状体形状に形成したが、この形状に限らず、例えば、断面蒲鉾形に形成した構成など、前記反射部３からの光が前記前記基材１の長さ方向に沿った長さ方向を有する長尺な照射範囲となるような集光方向に集光すると共に、これと直交する方向には集光しないようなレンズ形状に形成した構成とすれば良い。
【００６８】
また、本実施例では、この集光レンズ６は、図２に図示したように、軸方向長さを長尺に形成して一体の該集光レンズ６によって複数の反射部３の上部を閉塞し得るように構成しているが、これに限らず、例えば、各反射部３の上部に夫々一体ずつ集光レンズ６を設けた構成としても良い。
【００６９】
本実施例は、上述のように構成したから、基材１に複数配設した前記反射部３の底部に設けた各光源２を発光させた際に、該光源２から上方に照射した光は前記反射部３の上方に射出することとなる。
【００７０】
また、図１に図示したように、前記光源２から反射部３に向けて照射した光のうち、前記反射部３の平面視長軸方向（即ち、基材１の長さ方向）に照射された光２ａは、該反射部３の平面視長軸方向に対向する上方導光反射面４によって上方に反射して該反射部３から上方に射出することとなり、一方、前記反射部３の平面視短軸方向に照射された光２ｂは、該反射部３の平面視短軸方向に対向する側方導光反射面５によって側方に反射して、該側方導光反射面５上方導光反射面４に導光され、この上方導光反射面４によって上方に反射して該反射部３から上方に射出することとなる。
【００７１】
よって、前記光源２からの光は四方拡散方向に照射したりせず、前記反射部３に指向されて該反射部３の長軸方向、即ち前記基材１の長さ方向に沿った長さ方向を有する照射範囲に集光照射されることとなる。
【００７２】
即ち、各光源２からの光が、各反射部３から、上記の通り基材１の長さ方向に沿った長さ方向を有する長尺な照射範囲となるように集光照射されるので、この各光源２からの長尺な照射範囲の光が一体となることによって、図４に図示したように基材１の長さ方向に沿った長尺な（略矩形状の）照射範囲に光が照射されることとなる。
【００７３】
また、各反射部３によって、長尺な照射範囲に集光照射された光と、同様に長尺な照射範囲に集光照射された光とが、一体となることによって図４に図示したような略矩形状の照射範囲に光を照射しているので、この照射範囲には隈無く光が照射され、光の明暗（光量ムラ）のない略均一に光が照射されることとなる。
【００７４】
しかも、本実施例においては、前記反射部３によって集光照射される前記光源２からの光を更に該反射部３の上部に閉塞状態に配設した集光レンズ６によって集光しているので、前記光源２からの光（集光された光）の集光率が一層向上し、図４に図示したように基材１の長さ方向に沿った長尺な（略矩形状の）範囲に光の照射範囲を制御することができると共に、この照射したい範囲（正規の照射範囲）以外の余計な部分にまで照射してしまう（点状などの余計な発光分が正規の照射範囲の周囲に生じてしまう）ことを可及的に阻止でき、照射したい範囲だけに的確に光を照射できることとなる。
【００７５】
よって、本実施例は、基材１の長さ方向に複数配設した光源２から照射された光を反射部３に設けた上方導光反射面４や側方導光反射面５によって、前記光源２から反射部３の平面視長軸方向に照射された光も平面視短軸方向に照射された光も無駄にせず、可及的に全て任意の方向（照射したい範囲）に指向し集光照射させることができるから、光を殆ど無駄にせず光の利用効率に極めて秀れ、効率良く光源２からの光を照射したい照射範囲に照射させることができ、更に、光の明暗や光量ムラが生じないように満遍なく照射したい範囲に光を照射でき、更に、反射部３と集光レンズ６との双方によって集光することで前記光源２からの光を高い集光率で集光照射することによって、より線状や細い矩形状に近い長尺な範囲となるように光の照射範囲を制御でき、しかも、照射したい範囲以外の余計な光の照射分が生ずることも可及的に阻止し得るなど、非常に長尺な矩形状の照射したい範囲に、効率良く、且つ満遍無く光を照射できる極めて実用性に秀れた画期的な発光ユニットとなる。
【００７６】
また、本実施例においては、前記反射部３を前記光源２を中心とした平面視形状に形成し、且つ、この反射部３の側方導光反射面５は前記光源２からの光を該反射部３の上方導光反射面５に略均等に導光するように構成しているので、よって、前記反射部３から上方に照射される光は、該反射部３から照射する光の照射範囲内において光量の均一性に秀れることとなり、照射範囲に一層満遍なく光を照射し得ることとなり、この点においても一層実用性に秀れる。
【００７７】
また、本実施例においては、前記反射部３の平面視形状を長円形状（図１，図３に図示したように矩形状の両端を円弧状に形成した形状）に形成しているので、仮に該反射部３の平面視形状を単なる矩形状に形成した場合に比して、前記光源からの光を一層確実に効率良く照射したい範囲に集光照射できる。即ち、仮に本実施例の反射部３の平面視形状を長円形状ではなく、この長円形状の反射部３の軸方向長さと同等の長辺長さを有する矩形状に形成した場合、該反射部３の上部開口部の長辺と短辺との交叉部の僅かに上方に向かう照射角度の光が反射部３に反射せずにそのまま斜め上方に射出されてしまう。
【００７８】
また、本実施例においては、図１，図２に図示したように、平面視長円形状の反射部３の両端の円弧状の部分以外の部位（側方導光反射面４の上端縁）が互いに平行な直線状である為、各反射部３からの照射光は略楕円状では無く、可及的に線状や矩形状に近い照射範囲に集光照射されることとなる。従って、前記基材１の複数の光源２からの光の照射範囲は、略楕円形状の照射範囲の光が一方向に連なってできる長尺形状ではなく、真に線状や矩形状に近い照射範囲に光を集光照射できることとなる。
【００７９】
また、本実施例においては、前記反射部３の平面視形状を、例えば長軸方向に長い形状にしたり短軸方向に長い形状にするなどして、使用目的に合わせて照射範囲を適宜調整された発光ユニットを容易に得られることとなり利便性に秀れる。
【００８０】
また、本実施例においては、前記反射部３の上方導光反射面の傾斜角度を適宜設定して該反射部３から上方に射出する光の照射角度を適宜設定することで（例えば、該反射部３の長軸方向に広い（狭い）照射角度となるように傾斜角度を設定すれば光の照射範囲の長尺方向長さを長く（短く）設定できるなど）、照射範囲を適宜調整でき、この点においても、利便性に秀れる。
【００８１】
また、本実施例においては、前記光源２が凹状の反射部３の底部の切欠部から上方に向けて突出状態に配設し、該反射部３の底部から上方に向けて光を照射させる構成であり、例えば、反射部３に向けて光を照射し、一度、光を該反射部３に反射させてから上方に射出させる構成とした場合に比して、光源２からの光が前記集光レンズ６に到達する間に光を遮るものが一切無く（一度、光を反射部３に向けて照射し、反射光を上方に照射する構成の場合、光源２自体が反射光の妨げとなってしまう）、この点においても光の利用効率が高く実用性に秀れるものである。
【００８２】
また、本実施例においては、前記光源２としてＬＥＤを採用しているので、例えば電球などを利用した場合に比して、本実施例に係る発光ユニット自体の小型化が簡易に図り得ることとなり、この点においても実用性に秀れることとなる。
【００８３】
尚、本実施例においては、前記基材１に複数の光源２及び複数の反射部３を設けた構成であるが、上述の通り、各反射部３によって光源２からの光を長尺な照射範囲となるように集光照射できる構成の為、例えば、前記基材１に光源２と反射部３とを夫々一体ずつ設けた場合においても、長尺な照射範囲に光を効率良く的確に集光照射でき、例えば、自動車の前照灯などに良好に採用し得ることとなる。
【００８４】
また、本発明は、本実施例に限られるものではなく、各構成要件の具体的構成は適宜設計し得るものである。
【図面の簡単な説明】
【００８５】
【図１】本実施例に係る発光ユニットの概略説明図である。
【図２】本実施例に係る発光ユニットの正面断面図及び側面断面図である。
【図３】本実施例に係る発光ユニットの平面断面図及び正面断面図及び上方導光照射面の別例を示す正面断面図である。
【図４】本実施例に係る発光ユニットの使用状態図である。
【図５】従来例の概略説明図である。
【符号の説明】
【００８６】
１  基材
２  光源
３  反射部
４  上方導光反射面
５  側方導光反射面
６  集光レンズ
【図１】
2006196314.tif 000003
【図２】
2006196314.tif 000004
【図３】
2006196314.tif 000005
【図４】
2006196314.tif 000006
【図５】
2006196314.tif 000007